(57)【要約】【課題】より実用性に富み、記録媒体の効率的な収納を可能にするとともに記録媒体内の情報を確実に防護することのできる携帯用収納ケースを提供する。【解決手段】金融カード６等を入れて持ち運び可能な携帯用収納ケースであって、金融カード６を収納するカード収納部９と、外部の磁気及び電磁波を遮蔽する金属膜５，５とを有してなり、金属膜５，５がカード収納部９に収納された金融カード６の向きに関わらず、この金融カード６の少なくともデータ記憶部１０の両側を全面的に被覆可能とされている。【選択図】  図２
2007015700.tif 000002
【特許請求の範囲】
【請求項１】
記録媒体を入れて持ち運び可能な携帯用収納ケースであって、
前記記録媒体を収納する収納部と、
外部の磁気及び電磁波を遮蔽する金属遮蔽材とを有してなり、
前記金属遮蔽材が前記収納部に収納された前記記録媒体の向きに関わらず、該記録媒
体の少なくともデータ記憶部の両側を全面的に被覆可能とされていることを特徴とする
携帯用収納ケース。
【発明の詳細な説明】
【技術分野】
【０００１】
本発明は、記録媒体の保管、持ち運び用に使用される携帯用収納ケースに関するものである。
【背景技術】
【０００２】
クレジットカードで精算を行う場合には、通常、ＣＡＴ（Ｃｒｅｄｉｔ  Ａｕｔｈｏｒｉｚａｔｉｏｎ  Ｔｅｒｍｉｎａｌ）と呼ばれる信用情報照会端末機に通されて、クレジットカード会社が認証した段階で精算されることになるが、近年、このＣＡＴに、クレジットカードの情報を盗み取るスキマー（ｓｋｉｍｍｅｒ）と呼ばれる装置が仕掛けられ、このスキマーによってクレジットカードの磁気ストライプ部分の符号化されたデータが複写されてしまうことが問題になっている。こうして読み取られた情報は、違法な支払いを可能にする改竄されたカードの製造に利用されている。このように、スキマーを用いてクレジットカードやキャッシュカードなどの磁気記録情報が不正に読み出されて偽造カードが製造されており、この偽造カードの不正使用によって、被害者の知らぬ間に現金が引き出されるなど多くの被害が発生してきている。
【０００３】
その犯行の多くは、ＣＡＴに仕掛けたスキマーを回収してクレジットカードやキャッシュカードなどの金融カードの磁気記録データを盗むというものであった。しかし、最近においては、無線によって遠隔な場所で磁気記録データを受信可能な発信器が付いたものが発見されており、犯人の特定が難しくなっている。また、カード犯罪が広まるにつれて犯人の手口は、徐々に巧妙になってきており、被害者は、クレジットカードまたはキャッシュカードを使用した覚えがないのに被害にあってしまうというケースも生じている。これは、クレジットカード及びキャッシュカードに一切触れることなく磁気記録情報を抜き取るという手口である。つまり、クレジットカードまたはキャッシュカードが入っていると思われる被服のポケットや鞄の上から読取装置をかざすだけで磁気記録情報を不正に読みとることができてしまうので、電車内など他人と接近する場所で被害に遭うケースが多い。被害者の多くは被害にあった自覚がないため、いつどこで情報を読み取られたか分からず、犯人の特定はより困難を極めている。
つまり、クレジットカード及びキャッシュカードを所有している以上、誰にでも起こりうる被害なのである。
【０００４】
防犯対策として、例えば、磁気カード等の磁気記録層を外部磁界から保護することができる防磁性ケースが知られている。これは、所定の大きさを有する長方形状の２枚の防磁板を、防磁板の一辺側を所定間隔をおいて互いに突き合わせて並列に並べた状態で台紙に接着した構成の防磁性シートを、防磁板の突き合わせ部にて防磁板が外側となるように２つ折りにしてプラスチックケースの内部に収納した構成の防磁性ケースである（例えば、特許文献１参照）。
【特許文献１】特開２００４−１０５５９５号公報
【発明の開示】
【発明が解決しようとする課題】
【０００５】
上記の防磁性ケースの場合、収容される通帳、磁気カード等に取り付けられている磁気記録層と略同一サイズ或いはやや大きいサイズの防磁板が、台紙の幅方向一辺側に偏って配置されている。そのため、利用者は、その防磁板のある位置に、磁気記録層を合わせるようにして通帳または磁気カードを収容する必要がある。また、磁気記録層が磁気カードの長手方向に沿って設けられている場合には、防磁板との位置あわせができず、磁気カード内の情報を保護することができない場合がある。
【０００６】
本発明は、係る従来技術の問題点を解決するものであって、その目的とするところは、より実用性に富み、記録媒体の効率的な収納を可能にするとともに記録媒体内の情報を確実に防護することのできる携帯用収納ケースの提供にある。
【課題を解決するための手段】
【０００７】
上記目的を達成するために、請求項１に係る発明は、記録媒体を入れて持ち運び可能な携帯用収納ケースであって、記録媒体を収納する収納部と、外部の磁気及び電磁波を遮蔽する金属遮蔽材とを有してなり、金属遮蔽材が収納部に収納された前記記録媒体の向きに関わらず、該記録媒体の少なくともデータ記憶部の両側を全面的に被覆可能とされていることを特徴とする。
【発明の効果】
【０００８】
本発明の携帯用収納ケースによれば、記録媒体を収納する収納部に収納された記録媒体の向きに関わらず、記録媒体の少なくともデータ記憶部の両側を全面的に被覆するように遮蔽金属材が設けられているので、外部の電磁波及び磁気を確実に遮蔽して記録媒体に記録されたデータの不正な読み取りを防護することができる。つまり、常に携帯されることの多い記録媒体として例えばクレジットカードやキャッシュカードが挙げられるが、このような金融カードに非接触型の読取装置が近づけられても、内部に記録されているデータを不正に読み取られることを防ぐことができる。また、記録媒体に設けれられている磁気記録層の位置に関係なく収納できるため、より実用的である。
【発明を実施するための最良の形態】
【０００９】
以下、本発明の第１実施形態について図１及び図２に基づいて説明する。
図１に示すように、第１実施形態の携帯用収納ケースは、クレジットカード及びキャッシュカード等の金融カード（記録媒体）６を複数収納して持ち運び可能な、規定のカード専用のカードケース１である。このカードケース１は、図２に示すように、中央に配置される芯素材２と、その両面側に、この芯素材２を挟み込むようにしてそれぞれ配置される裏地３，３と、この各裏地３，３の外側から各々の片面側を覆うようにして、両裏地３，３に設けられる外側素材４，４とを有して構成されている。
【００１０】
芯素材２は、長方形状を呈しており、収納される金融カード６の形状よりも大きく形成されている。具体的には、縦６３ｍｍ、横１００ｍｍに形成され、その厚さは、金融カード６が容易に折れ曲がることのないように所定の厚さを有して、金融カード６の形態を保つよう形成されているとよい。この芯素材２は、高級感を持たせるため天然の皮革素材により形成されるが、それ以外の素材でもよい。
【００１１】
この芯素材２の両面側には、その幅方向一側を露出させた状態で裏地３，３が設けられている。これら裏地３，３は略長方形状を呈し、その長手方向長さは芯素材２の長手方向長さと略同等の長さに形成されており、また、その幅方向長さは、芯素材２の幅方向長さよりも短く、金融カード６の全体を略被覆可能とした大きさに形成されている。さらに、図２に示すように、裏地３，３の幅方向一側における側部３ａの長手方向中央部には、裏地３，３の幅方向内側に円弧状に凹む溝部７が形成されている。
【００１２】
このような裏地３，３は、図２に示すように、芯素材２の幅方向一端側に偏るようにしてそれぞれ配置され、且つ、芯素材２を介して互いに重なった状態で、芯素材２に設けられる。このとき、上記溝部７を有する側部３ａ以外の各側部３ｂ，３ｃ，３ｄと芯素材２の側部２ｂ，２ｃ，２ｄとの周縁をミシン等を用いて縫着させることによって、裏地３，３及び芯素材２が一体となる。すると、芯素材２と各裏地３，３との間に、金融カード６を収納するカード収納部９，９が構成されることになり、ここでは、少なくとも各カード収納部９，９に１枚ずつの金融カード６が収納可能となっている。
一方、芯素材２の幅方向他端側は、裏地３，３で被覆されず露出した状態となっているため、カード収納部９，９内に金融カード６を収納する際、芯素材２に沿うようにして挿入していくことにより収納しやすくなる。つまり、芯素材２が金融カード６をカード収納部９，９へと導くガイドの役目を果たすことになる。つまり、裏地３，３と芯素材２との間を指で広げるなどしてカード収納部９の開口を広げる手間が省けるため、使い勝手がよい。
このような裏地３，３は、基材となる布上にポリアミドやポリウレタンなどの合成樹脂を塗り重ねて製造される合成皮革よりなっている。
【００１３】
さらに、これら両裏地３，３には、芯素材２に対して反対側の片面を全面的に覆う外側素材４，４がそれぞれ設けられている。外側素材４，４は、裏地３，３と略同形状とされる皮革素材からなっており、各裏地３，３の溝部７と各外側素材４，４の溝部８とが厚さ方向で一致するように、裏地３及び外側素材４を互いに重ねて縫着してある。このように、溝部７，８があることによって、カード収納部９に収納される金融カード６の一部が露出するため、金融カード６の有無を外観から視認することができるだけでなく、露出した部分を挟持できるのでカードケース１から取り出しやすい。
なお、これら芯素材２、裏地３，３及び外側素材４，４を一括して縫着させることにより、縫い目が少なくなってカードケース１の美観が良好となるとともに縫着する手間も省けるのでよい。また、本実施形態では、ミシン等によって縫着されているが、接着剤等によって接着してもよい。
【００１４】
以上のように構成されるカードケース１の各裏地３と外側素材４との間には、磁気及び電磁波の遮蔽効果を奏する金属膜（遮蔽金属材）５，５が設けられている。これら両金属膜５，５は、アルミニウム又は鉛等からなっており、カード収納部９，９の両側を全面的に被覆可能な大きさ、且つ、裏地３の溝部７及び外側素材４の溝部８の間から露出しない大きさで形成されている。具体的に、金属膜５，５は、カード収納部９，９に適正に金融カード６が挿入された場合に、金融カード６の挿入の向きとは無関係に金融カード６に形成された少なくともデータ記憶部１０の全体を被覆可能な大きさとされている。このとき、顧客がカードケース１を使っている間に金属膜５，５がズレて露出してしまったり、逆さにしたときに落ちてこないように、溝部７，８を含め裏地３の側部３ａ及び外側素材４の側部４ａを、それらの側縁に沿って縫い合わせてもよい。
なお、金属膜５，５を柔軟性に富んだ性状で構成することにより、裏地３及び外側素材４の柔軟性が大きく損なわれることなく、使い勝手のよいカードケース１とすることができる。また、使用者が違和感を感じることなく使用でき、且つ全体の軽量化を図るという面からして、薄い金属膜５，５とすることが好ましいが、板状とすることも可能である。
【００１５】
このように、金属膜５，５を、カード収納部９，９の両側に配置させることによって、両カード収納部９，９の両側が全面的に金属膜５，５で被覆されて外部の磁気及び電磁波が遮蔽されるので、両カード収納部９，９に収納された金融カード６内の情報を保護できる。そのため、不正行為者がカードケース１に収納された金融カード６のデータをスキミングしようとスキマー装置を近づけたとしても、金属膜５，５によってスキマー装置からの磁気又は電磁波が遮蔽されるので、金融カード６に記録されているデータを読み取ることができない。よって、スキミングが阻止され、盗難の被害を防ぐことができる。
【００１６】
以下、本発明の第２実施形態について図３及び図４に基づいて説明する。
図３に示すように、第２実施形態の携帯用収納ケースは、現金だけでなく、クレジットカード及びキャッシュカード等の金融カード６だけでなく、現金の収納も兼ねる財布１１であって、長手方向中央部で２つ折りに折りたたみ可能なものである。
【００１７】
財布１１は、図４に示すように、その背面側に紙幣を展開した状態で収納可能な紙幣収納部１２が設けられ、前面側には、クレジットカードやキャッシュカード等の金融カード６を複数枚収納可能なカードホルダ（収納部）１４，１４が設けられた財布本体１５を有して構成されている。このように、２つに折りたたみ可能な財布１１は、コンパクトになるため携帯性に優れているだけでなく、折りたたんだときに両カードホルダ１４，１４が内側となるため、金融カード６が保護されることになる。
【００１８】
上記した財布本体１５の一部であって、財布１１を２つに折りたたんだ際に最も外側となるように配置される外側素材１３は、所定の厚さの皮革素材からなっており、紙幣の形状に対応した長方形状を呈している。本実施形態において、その長手方向長さは、紙幣の長手方向長さよりも長い２１０ｍｍに形成され、幅方向長さは９５ｍｍとなっている。
【００１９】
この外側素材１３の内側には、外側素材１３と略同形を成す表皮素材１６が配置されている。表皮素材１６には、天然の皮革素材ではなく合成皮革を用いてコストダウンを図る。そして、外側素材１３と重ね合わせ、互いの側部周縁を縫い合わせることによって、一体とされている。
【００２０】
さらに、表皮素材１６の内側には、上記した表皮素材１６及び外側素材１３よりも幅の狭い状態に形成された長方形状の内側素材１７が配置されている。より詳しくは、その長手方向長さは、上記した表皮素材１６及び外側素材１３と同等に形成され、幅方向長さは、表皮素材１６及び外側素材１３の幅方向長さ９５ｍｍよりも短く形成されているが、紙幣の幅方向長さよりも長く形成されている。
そして、表皮素材１６の幅方向一側に偏って配置され、図４に示す側部１７ａ以外の側部１７ｂ，１７ｃ，１７ｄの側縁を表皮素材１６の側部１６ｂ，１６ｃ，１６ｄの側縁に縫着して設けられる。すると、表皮素材１６と内側素材１７との間に紙幣を収納可能な紙幣収納部１２が構成され、紙幣は、内側素材１７の側部１７ａ側から挿入される。
【００２１】
財布本体１５の最も前面側に配置されるカードホルダ１４は、略正方形状を呈し、その内側には金融カード６を、差し込んで収納可能なスリット収納部１８が設けられている。このスリット収納部１８は、幅方向内側に向かって段状を成すべく連続して複数設けられている。つまり、スリット収納部１８を構成するそれぞれのホルダ素材１９を、互いの端部が重ならないようにずらして配置させることにより、スリット収納部１８が段状に構成されることになる。
これにより、複数の金融カード６を、それぞれが全面的に重ならないように収納できるため嵩張らず、財布１１のコンパクト性が保てる。
【００２２】
このような、カードホルダ１４は、内側素材１７の長手方向両側に一つずつ配置され、紙幣が挿入される方向と、金融カード６が挿入される方向とが一致するように縫着されている。このとき、対向している両カードホルダ１４の側部１４ａ，１４ａだけは、内側素材１７に縫着させないでおくことによって、内側素材１７とカードホルダ１４との間に、財布１１の長手方向中央部に向かって開口する収容部２０，２０がそれぞれ形成される。
【００２３】
以上のように構成される財布１１の外側素材１３と表皮素材１６との間には、各カードホルダ１４をそれぞれ被覆する大きさで形成された金属膜５Ａ，５Ａが、財布１１の長手方向両側に配置され、各カードホルダ１４，１４をそれぞれ被覆するようにして設けられている。これにより、財布１１を長手方向中央部から２つに折りたたんだとき、カードホルダ１４，１４を外側から挟み込むようにして、これらの両側に金属膜５Ａ，５Ａが位置することになる。そのため、両カードホルダ１４，１４に設けられた全てのスリット収納部１８の両側を全面的に被覆することができる。具体的に、金属膜５Ａ，５Ａは、スリット収納部１８，１８に適正に金融カード６が挿入された場合に、金融カード６の挿入の向きとは無関係に金融カード６に形成された少なくともデータ記憶部１０の全体を被覆可能な大きさとされている。よって、上記実施形態と同様の効果を得ることができる。
なお、金属膜５Ａ，５Ａは、カードホルダ１４と内側素材１７との間に設けることもできる。
【００２４】
以下、本発明の第３実施形態について図５及び図６に基づいて説明する。
近年、旅券の偽変造対策や、安全かつ迅速に空港の手続きが行えるよう、パスポートのＩＣ化に対する国際標準の策定が進められており、こうした電子パスポート内の個人情報保護に適した携帯用収納ケースについて述べる。
【００２５】
第３実施形態の携帯用収納ケースは、キャッシュカードやクレジットカード等のような薄型矩形状の金融カード６だけでなく、上述したＩＣチップ内蔵型の電子パスポート（記録媒体）や、その他種々の圧みのある小物の収納を可能としたパスポート収納ケース２２である。
【００２６】
このパスポート収納ケース２２は、図６に示すように、略長方形状とした蓋体２３を背面側に配置し、この蓋体２３の長手方向中央部で折り曲げることにより、折り畳み可能にしたものである。蓋体２３には、その長手方向一側に偏って配置され中央に向かって開口する収納ポケット２５，２６（収納部）が連設して設けられている。さらに、これら収納ポケット２５，２６のうち、前面側に配置される収納ポケット２６の前面に、小物収納部２８（収納部）が設けられている。
【００２７】
蓋体２３は、略長方形状に形成された皮革素材からなる外側素材３０と、この外側素材３０と略同一形状に形成された合成皮革からなる表皮素材３１とにより構成され、互いの側部周縁を縫着して一体とされている。
このような蓋体２３の長手方向中央部は、蓋体２３を２つに折りたたみ可能なものとする曲折部２４となっている。この曲折部２４は、図５及び図６に示すように、蓋体２３の長手方向に所定の間隔をおいて、蓋体２３の幅方向に沿って外側素材３０と表皮素材３１とを縫着させることによって形成される。
【００２８】
また、表皮素材３１の外側素材３０とは反対側の片面に、表皮素材３１の長手方向一側に偏って、その側部周縁に設けられる側壁材３２，３３及びこれら側壁材３２，３３の一端側を繋ぐ図示しない底壁材を介して第１ポケット仕切素材３４が設けられている。この第１ポケット仕切素材３４、蓋体２３の一部、側壁材３２，３３及び図示しない底壁材によって、蓋体２３の長手方向中央に向かって開口する収納ポケット２５が構成される。
【００２９】
さらに、この第１ポケット仕切素材３４の表皮素材３１とは反対側の側面に、その側部周縁に設けられる側壁材３５，３６及びこれら側壁材３５，３６の一端側を繋ぐ図示しない底壁材を介して第２ポケット仕切素材３７が設けられている。この第２ポケット仕切素材３７、第１ポケット仕切素材３４、側壁材３５，３６及び図示しない底壁材によって、上記収納ポケット２５同様、蓋体２３の長手方向中央に向かって開口する収納ポケット２６が構成される。
このように収納ポケット２５及び収納ポケット２６を構成することによって、電子パスポート等、厚みのある収納物を収納可能としている。
【００３０】
この収納ポケット２６の第２ポケット仕切素材３７には、皮革素材からなる内側素材３８が設けられている。この内側素材３８は、略長方形状を呈しており、幅方向長さは第２ポケット仕切素材３７の幅方向長さより短く、その幅方向一側に溝部３９を有している。そして、第２ポケット仕切素材３７の幅方向一端に偏るようにして縫着される。これにより、第２ポケット仕切素材３７及び内側素材３８の間に、蓋体２３の長手方向中央部に向かって開口する小物収納部２８が構成される。
このように構成することによって、金融カード６等の薄型の収納物を収納可能としている。
【００３１】
以上のように構成されるパスポート収納ケース２２の蓋体２３を折りたたむ場合、収納ポケット２５，２６及び小物収納部２８を有していない長手方向他端側が、これら収納ポケット２５，２６及び小物収納部２８の開口部を閉塞する蓋部４０となり、曲折部２４で折り返されて内側素材３８の外側に重ねられる。このように、パスポート収納ケース２２は、通常、折りたたまれた状態で携帯されるため、蓋体２３の長手方向両側に、収納ポケット２５，２６及び小物収納部２８を両側から全面的に被覆可能な大きさの金属膜５Ｂ，５Ｂをそれぞれ内蔵させることによって、収納ポケット２５，２６及び小物収納部２８を両側から防磁することができる。具体的に、金属膜５Ｂ，５Ｂは、収納ポケット２５，２６及び小物収納部２８に、適正に金融カード６及び電子パスポート等が挿入された場合に、金融カード６又は電子パスポートの挿入の向きとは無関係に金融カード６及び電子パスポートに形成された少なくともデータ記憶部１０の全体を被覆可能な大きさとされている。このような両金属膜５Ｂ，５Ｂは、外側素材３０及び表皮素材３１の間に介在させるようにして曲折部２４の両側に配置して設けられる。
【００３２】
以上のように、携帯用収納ケースに金属膜５，５を内蔵させることによって、例えば、金融カード６及び電子パスポートを携帯用収納ケース内に入れて携帯及び保管しているときにスキミングの被害に遭うことを防ぐことができる。そのため、大切な個人情報を確実に保護することができる。
【００３３】
なお、本発明は前記実施形態に限定されることなく、本発明の要旨を逸脱しない限り各種の変更が可能であり、前述した皮革素材または合成皮革以外の素材に塩化ビニール或いは織布等を用いてもよい。例えば、上述した裏地３、芯素材２、外側素材４、外側素材１３、表皮素材１６、外側素材３０、表皮素材３１、内側素材３８等において、適用が可能である。これらの素材に塩化ビニールを用いた場合には、更なるコストの削減を図ることが可能になるとともに、耐水性及び耐汚性に優れたカードケース１とすることができる。一方、織布を用いた場合には、全体の軽量化を実現することが可能となる。すなわち、金属膜５，５Ａ，５Ｂ以外の構成素材において適宜変更が可能である。
また、金属膜５，５を素材間に介在させる際、金属膜５，５を各素材に貼着させて設けても良い。これにより、金属膜５，５の移動が規制されるので、外部に飛び出すことなく確実に保持することができる。
さらに、アルミニウム等を練り込んで形成した素材、あるいは、繊維状にして織成した素材を金属遮蔽材とし、これを例えば、上記した、裏地３、芯素材２、外側素材４、外側素材１３、表皮素材１６、内側素材１７、ホルダ素材１９、外側素材３０、表皮素材３１、第１ポケット仕切り素材３４、第２ポケット仕切り素材３７、内側素材３８等において、適用しても良い。こうすることにより、製造段階における上記遮蔽膜５，５等の搭載漏れを防止することができる。
【図面の簡単な説明】
【００３４】
【図１】本発明における第１実施形態のカードケースを示す側面図である。
【図２】本発明における第１実施形態のカードケースを示す斜視分解図である。
【図３】本発明における第２実施形態の財布を示す側面図である。
【図４】本発明における第２実施形態の財布を示す斜視分解図である。
【図５】本発明における第３実施形態のパスポート収納ケースを示す側面図である。
【図６】本発明における第３実施形態のパスポート収納ケースを示す斜視分解図である。
【符号の説明】
【００３５】
１  カードケース（携帯用収納ケース）
５，５Ａ，５Ｂ  金属膜（金属遮蔽材）
６  金融カード（記録媒体）
９  カード収納部（収納部）
１０  データ記憶部
１１  財布（携帯用収納ケース）
１８  スリット収納部（収納部）
２２  パスポート収納ケース（携帯用収納ケース）
２５，２６  収納ポケット（収納部）
２８  小物収納部（収納部）
【図１】
2007015700.tif 000003
【図２】
2007015700.tif 000004
【図３】
2007015700.tif 000005
【図４】
2007015700.tif 000006
【図５】
2007015700.tif 000007
【図６】
2007015700.tif 000008